(57)【要約】【課題】従来、自動車用室内灯として使用されている小電球のソケットを使用して、小電球を確実に保持し、その脱落、外れを防止すると共に小電球以外のＬＥＤをも室内灯光源として使用できる自動車用室内灯装置を提供する。【解決手段】電球や電球に連結する端子部材の平板状のウェッジベースの先端部分の少なくとも一側面を側方に突出形成させた係止部分を形成させる。  該ウェッジベースの先端部分を別途形成させるソケットにその開口部より挿入し、該開口部に面して形成させたコンタクト電極間に狭持して係止部分を係合させる。【選択図】  図１
2013224073.tif 000002
【特許請求の範囲】
【請求項１】
電球又は端子部材のウェッジベースの挿入部となる開口を有し、該開口に面して前記ウェッジベースの電極と電気接続される有弾性のコンタクト電極を設けたソケットに、前記ウェッジベースを前記開口に挿入可能な平板状に形成させて挿脱自在とすると共に、前記ウェッジベースの先端部の少なくとも一側面を側方に突出形成させた係止部を前記有弾性のコンタクト電極に係合自在としたことを特徴とする車輌用室内灯装置。
【請求項２】
前記電球は白熱バルブ電球であることを特徴とする請求項１に記載の車輌用室内灯装置。
【請求項３】
前記電球はＬＥＤ電球であることを特徴とする請求項１に記載の車輌用室内灯装置。
【請求項４】
前記端子部材は、前記ウェッジベースを形成すると共に電球用端子係合部を形成したことを特徴とする請求項１に記載の車輌用室内灯装置。
【発明の詳細な説明】
【技術分野】
【０００１】
本発明は、自動車用灯具に於いて、バルブランプ及びＬＥＤランプを一つのソケットに於いて簡単に使用できる車輌用室内灯装置に関する。
【背景技術】
【０００２】
従来、自動車用灯具における室内灯としては各種器具の照明用ランプ、足元ランプ、グローブボックス内の照明用ランプのように局部的に照明や表示を行なう灯具が使用されている。
【０００３】
従来この種の灯具として小型の電球のウェッジベースバルブが用いられている。そして、  従来のこのウェッジベースバルブは小型化を追求するために、構造上脆弱な部分があり、使用上、又機械的強度上問題があった。
【０００４】
例えば、従来のウェッジベースバルブはソケットに装着の際、ウェッジベースバルブのベース部をソケットの開口に面して設けられた一対のコ字状のコンタクト電極間に挿通し、ベース部に露出させた電極と接触させ、該電極に接続されているバルブ内のフィラメントに通電する構造である。
【０００５】
従って、このコンタクト電極にベース部を挿通し、ウェッジベースバルブを保持するのはコンタクト電極のバネ力だけである。この抜け落ち防止等として、コンタクト電極により電極と接する際、電極の一部が歪むようにベース部に溝を形成したものがあるが、コンタクト電極の圧力がそれ程強力ではないので、各種の振動により、抜け落ち防止は困難である。
又、ウェッジベースバルブの上記問題を解決するためにＬＥＤ等の発光素子を光源として使用することが多くなっている。
【０００６】
しかし、従来の電球をＬＥＤに置き換えるとすると、電源コードと電球の配線コードを接続するために用いられているコネクターやブッシュ等の接続部材を換えるために面倒な接続工作が必要となり、又ＬＥＤの電源に接続を行なうための電球用のソケットに替えて新たなＬＥＤ用のソケットが必要となる。
【０００７】
上記の点に鑑み、ＬＥＤを光源とし、灯具を小型化するためにコネクターに対するコンタクト電極を小型化し、又、端子部がコネクターの接触ばね片に弾性的に接触されているだけで引抜力が弱い点を改良したり、ハウジング自体を小型化する工夫が為され、更に、白熱バルブとＬＥＤの端子部材を同じ白熱バルブソケットを使用可能として、ＬＥＤを自動車用灯具として簡単に使用でき灯具も提案されている。
【０００８】
例えば、特開２０００−１００２１８号公報（特許文献１）に於いて、白熱バルブの円筒状口金と同型に端子部材を構成し、該端子部材と配線コードで多数のＬＥＤを搭載したＬＥＤ基板を連結し、一つのバルブソケットにＬＥＤの車輌用灯具も白熱バルブもどちらでも装着できるようにした構成が提案されている。
【０００９】
又、特開２００３−２１２０３９号公報（特許文献２）に於いて、一対のコ字状のコンタクト電極を開口に面して設けたソケットを用い、ウェッジべースバルブと又ウェッジべースバルブとベース部を同型に形成し、項端にＬＥＤを設けたＬＥＤアッシーを形成し、ウェッジべースバルブでもＬＥＤアッシーでも何れでも装着出来るようにした車輌用灯具が提案されている。
【先行技術文献】
【特許文献】
【００１０】
【特許文献１】特開２０００−１００２１８号公報
【特許文献２】特開２００３−２１２０３９号公報
【特許文献３】特開２００６−１１４７９１号公報
【発明の概要】
【発明が解決しようとする課題】
【００１１】
しかし、何れも従来の白熱バルブ、ウェッジべースバルブ用のソケットをそのまま使用して、ＬＥＤを光源とする灯具をも使用することが出来るようにしたものであるが、特許文献１に於いては、白熱バルブの口金は円筒状に限定され、ウェッジベースバルブについては使用出来ない点があり、又、特許文献２に於いてはＬＥＤアッシーを別途に構成して新たな製品が必要とされ利便性に限りがある。
【００１２】
又、何れの上記従来特許に於いても、従来のウェッジべースバルブの欠点たるソケットへの係合時に於ける保持力に問題は依然として存在する。
【００１３】
本発明の目的は、第１には従来の電球灯具のソケットを利用して電球灯具の確実な保持を期することが出来る電球灯具の構成を得ること、第２には従来の電球灯具のソケットをそのまま使用して、ＬＥＤ灯具を車内灯具として利用できる構成を提供出来ることを目的とする。
【課題を解決するための手段】
【００１４】
本発明は上記目的を達成するため、車輌用室内灯装置に於いて、電球や端子部分の挿入部となる開口を有し、該開口に面して電球や端子部分の電極に電気接続される有弾性のコンタクト電極を設けたソケットに、電球、端子部分のウェッジベースを前記開口に挿入可能な平板状に形成させて挿入自在とすると共にコネクターの挿入部の挿通するウェッジベースの先端部の少なくとも一側面を側方に突出形成させた係止部を有弾性のコンタクト電極に挿通係合させることを特徴とする。
【００１５】
又、上記車輌用室内灯装置に於いて、ウェッジベースを有する灯具は白熱バルブ電球であることを特徴とする。
【００１６】
又、上記車輌用室内灯装置に於いて、ＬＥＤをバルブ状に設置したＬＥＤ灯のベース部をウェッジべースバルブと同じ平板状のベースとしたことを特徴とする。
【００１７】
又、上記車輌用室内灯装置に於いて、ウェッジベースを有する灯具はＬＥＤと連結するＬＥＤ用端子部材であることを特徴とする。
【発明の効果】
【００１８】
本願発明によれば、電球又は端子部材のウェッジベースの挿入部となる開口を有し、該開口に面して前記ウェッジベースの電極と電気接続される有弾性のコンタクト電極を設けたソケットに、前記ウェッジベースを前記開口に挿入可能な平板状に形成させて挿脱自在とすると共に、前記ウェッジベースの先端部の少なくとも一側面を側方に突出形成させた係止部を前記有弾性のコンタクト電極に係合自在としたことを特徴とする車輌用室内灯装置なので、ウェッジベースバルブのベース部のソケットの開口部への挿入によりベース部の係止部はコンタクト電極を拡開しつつ進入し、該係止部がコンタクト電極の山型突起間を通過すると、コンタクト電極は、その弾性により同じベース部の係止部はコンタクト電極間に狭持される。このため係止部とコンタクト電極の山型突起が係合し合い、進入方向と反対の退出方向にはブレーキとなり、通常では確実に保持され抜き去ることが困難となり、保持が確実となる。
【００１９】
又、ＬＥＤやＬＥＤ配線を連結させる端子部材にウェッジベースバルブと同じ平板状に形成させることにより、ウェッジベースバルブと同称にＬＥＤやＬＥＤ配線と連結できるＬＥＤ端子部材をバルブ用ソケットに連結することが出来、白熱バルブもＬＥＤも簡単に交換でき、何れも用途に応じ使用することが可能となった。
【図面の簡単な説明】
【００２０】
【図１】本発明一実施例側面図
【図２】同平面図
【図３】本発明一実施例使用状態要部斜面図
【図４】同上一部切欠斜面説明図
【図５】同上要部拡大説明図
【図６】同上要部拡大説明図
【図７】本発明他実施例使用状態要部斜面図
【図８】同上一部切欠斜面説明図
【図９】本発明他実施例使用状態一部切欠斜面説明図
【図１０】本発明他実施例要部説明側面図
【図１１】同上使用状態要部説明側面図
【図１２】本発明他実施例コンタクト電極説明図
【発明を実施するための形態】
【００２１】
以下、図に示す実施例により本発明を説明する。
ソケット１は現在のウェッジベースバルブ用のソケットであり、一端面に開口部１１を設けた筒状の本体は、フランジ、バヨネット突起等の構成により、自動車車内各部に装着される構成である。
【００２２】
該ソケット１の開口部１１は従来のウェッジベースバルブ２のベース部２２を挿入する形状に形成され、該開口部１１に面して一対のコ字状のコンタクト電極１２，１３が設置されている。該コンタクト電極１２，１３は両先端部を内方に山型突起１２ａ，１３ａを有して折曲して弾性を持たせてある。
【００２３】
２は光源としてのウェッジベースバルブで、バルブ部２１とベース部２２とより形成される。該バルブ部２１にはフィラメント２３がベース部２２に設けられて、ベース部２２に設けられる一対の電極２４ａ，２４ｂに接続してある。該ベース部２２は略平板形状に形成され、その先端部には両側面方向、即ちコンタクト電極１２，１３と対向接触する側面に突出した係止部２２ａ，２２ｂを形成してある。
【００２４】
この係止部分２２ａ，２２ｂは両先端を山状に相似形状に突起形成するが、一側方は形成せず平面状としたり、更に山状にせず台形状２２ｃに形成することも出来る。
【００２５】
この際、係止部２２ａ，２２ｂには、ベース部の平面２２ｄ，２２ｅ面に連なりベース部端部ｆを切欠く略コ字状の溝２５を形成しておき、一対の電極２４ａ，２４ｂはバルブ部２１の基部２１ａからベース部２２を通し、溝２５端部から突出させ、夫々相異なる方向に折曲してベース部２２ｄ，２２ｅ面に添わせておく。
【００２６】
使用に当たり、ウェッジベースバルブ２を持ち、そのベース部２２をソケット１の端部に形成された開口部１１から挿通する。然るときソケット１の開口部１１には一対のコンタクト電極１２，１３が並列設置されており、ウェッジベースバルブ２のベース部２２係止部２２ａ，２２ｂはコンタクト電極１２及び１３を拡開しつつ進入し、係止部２２ａ，２２ｂがコンタクト電極１２，１３の山型突起１２ａ，１２ｂ，１３ａ，１３ｂ間を通過するとコンタクト電極１２，１３は弾性により閉じ、ベース部２２の平面２２ｄ，２２ｅに接する。
【００２７】
この際、ベース部２２に設置した電極２４ａ，２４ｂは、コンタクト電極１２，１３間に狭持され、その山型突起１２ａ，１２ｂおよび１３ａ，１３ｂに接触され、電気的に接続される。
ここでベース部２２の係止部２２ａ，２２ｂは、コンタクト電極の山型突起１２ａ，１２ｂおよび１３ａ，１３ｂ間に狭持され、ベース部２２の抜け止めが確実に行なわれる。
【実施例１】
【００２８】
図７及び８に示す実施例について説明する。
図１乃至図６に示す既存のウェッジベースバルブに替えて、光源としてＬＥＤを使用した例を示す。
【００２９】
ＬＥＤ３はＬＥＤレンズ部３１から突出させたウェッジベースバルブと同型のベース部３２を形成させてある。
ＬＥＤ３は公知の製品を自由に選択使用可能である。
又ＬＥＤ３はウェッジベースバルブ形のバルブ部又はベース部３を使用するに際し、整流或いは制御図路を構成する抵抗、ダイオード等を設置すること自在である。
その他の構成は実施例１の構成を適宜使用する。
【実施例２】
【００３０】
図９に示す実施例について説明する。
図中４は端子部材であって、一端に所望数のＬＥＤを搭載したＬＥＤ基板のファーネス（何れも図示せず）の連結口４１を設け、他端には前記実施例１、２に示したウェッジベースバルブと同型のベース部４２を設けてある。
【００３１】
連結口４１にはファーネスによりＬＥＤと電気的に接続する接続端子を設け、ベース部２２に実施例１に示すように、係止部２２ａ，２２ｂ及び溝２５，２５に係架設置される電極２４ａ，２４ｂと接続させてある。
【００３２】
使用に当たりＬＥＤ３のファーネス端を端子部材４の連結口４１に挿着することによりＬＥＤ３を端子部材４、ソケット１を介して電源に連結することが出来る。このためＬＥＤ３を所望の箇所に設置することが可能になった。
該端子部材４はＬＥＤ３とソケット１間を連結する部材であるので灯具の一として灯具としている。
【００３３】
図１０乃至図１２に示す実施例はベース部２２とソケット１のコンタクト電極１２，１３の形状を変えて形成したものである。
ウェッジベースと同型のベース部２２の先端に一側面に山状の係止部２２ａを形成し、他側面には台形状の係止部２２ｂを形成させてある。
【００３４】
又、一方ソケットに形成されるコンタクト電極１２及び１３には夫々、係止部２２ａに対応した台形状の突起１２ａ及び係止部２２ｂに対応した山状の突起１３ｂを形成させてある。
使用時、ベース部２２をソケット１の開口１１より挿入すると、該ベース部２２の係止部２２ａ，２２ｂはコンタクト電極１２，１３を拡開しつつ進入し、山状の係止部２２ａは、コンタクト電極１２の台形状の突起１２ａを通過すると、該突起１２ａは弾性により元に復し、係止部２２ａは突起１２ａと係合する。同時に、同様に台形状の係止部２２ｂはコンタクト電極１３ｂに係合する。
この時、ベース部２２に設置されている電極２４ａにコンタクト電極１２ａが、同時に電極２４ｂに、コンタクト電極２４ｂに夫々弾性により圧接され、通電可能となる。
【００３５】
又、コンタクト電極１３は山状の他に小さな突隆１３ｃを形成させることも出来る。
又、これらの電極は形状は合致しなくても電極２４とコンタクト電極１２，１３との接触は保持されるので問題はない。
しかし必要に応じてベース２２とソケット１の挿入方向を規定しておくことも出来る。
【符号の説明】
【００３６】
１      ソケット
２      ウェッジベースバルブ
３      ＬＥＤ
４      端子部材
１２    コンタクト電極
１３    コンタクト電極
２２    ベース部
２２ａ  係止部
２２ｂ  係止部
２４    電極
２５    溝
【図１】
2013224073.tif 000003
【図２】
2013224073.tif 000004
【図３】
2013224073.tif 000005
【図４】
2013224073.tif 000006
【図５】
2013224073.tif 000007
【図６】
2013224073.tif 000008
【図７】
2013224073.tif 000009
【図８】
2013224073.tif 000010
【図９】
2013224073.tif 000011
【図１０】
2013224073.tif 000012
【図１１】
2013224073.tif 000013
【図１２】
2013224073.tif 000014